(57)【要約】      （修正有）【課題】スタンプラリーに使用されるスタンプ画像の自由度を向上させるスタンプラリー装置、スタンプ画像対応付け方法及びプログラムを提供する。【解決手段】通信装置は、複数の画像を記憶する画像記憶部を備え、非接触通信部によりデジタルサイネージ装置からスタンプ情報を取得するとＳ３、制御部は、画像記憶部に記憶されている複数の画像の中から選択された画像をスタンプ画像としてスタンプ情報に対応付けＳ８、表示部の台紙画面に表示するＳ９。【選択図】図５
2017134626.tif 000002
【特許請求の範囲】
【請求項１】
複数の画像を記憶する記憶手段と、
スタンプ情報を取得する取得手段と、
前記記憶手段に記憶されている複数の画像の中から選択された画像をスタンプ画像として前記取得手段により取得されたスタンプ情報に対応付ける対応付け手段と、
を備えるスタンプラリー装置。
【請求項２】
前記スタンプ情報に対応付けられた画像をスタンプ画像として表示する表示手段を備える請求項１に記載のスタンプラリー装置。
【請求項３】
前記記憶手段に記憶されている複数の画像の中からユーザが所望の画像を選択するための画像選択手段を備え、
前記対応付け手段は、前記記憶手段に記憶されている複数の画像の中から前記画像選択手段により選択された画像を前記取得手段により取得されたスタンプ情報に対応付ける請求項１又は２に記載のスタンプラリー装置。
【請求項４】
前記対応付け手段は、前記記憶手段に記憶されている複数の画像の中からランダムに選択された画像を前記取得手段により取得されたスタンプ情報に対応付ける請求項１又は２に記載のスタンプラリー装置。
【請求項５】
前記取得手段は、外部装置から非接触通信によりスタンプ情報を取得する請求項１〜４の何れか一項に記載のスタンプラリー装置。
【請求項６】
前記対応付け手段は、前記取得手段がスタンプ情報を取得した後に前記記憶手段に記憶されている複数の画像の中から選択された画像をスタンプ画像として前記取得手段により取得されたスタンプ情報に対応付ける請求項１〜５の何れか一項に記載のスタンプラリー装置。
【請求項７】
スタンプ情報を取得する工程と、
記憶手段に記憶されている複数の画像の中から選択された画像をスタンプ画像として前記スタンプ情報に対応付ける工程と、
を含むスタンプ画像対応付け方法。
【請求項８】
コンピュータを、
複数の画像を記憶する記憶手段、
スタンプ情報を取得する取得手段、
前記記憶手段に記憶されている複数の画像の中から選択された画像をスタンプ画像として前記取得手段により取得されたスタンプ情報に対応付ける対応付け手段、
として機能させるためのプログラム。
【発明の詳細な説明】
【技術分野】
【０００１】
本発明は、スタンプラリー装置、スタンプ画像対応付け方法及びプログラムに関する。
【背景技術】
【０００２】
従来、携帯通信端末のみで乗車区間の料金を自動的に精算するとともにスタンプを電子データとして作成し、ユーザは乗降した駅のスタンプに関するデータをリアルタイムで携帯通信端末画面で確認できるとともに必要に応じてハード出力も可能な携帯通信端末を用いたスタンプラリーゲームシステムが提案されている（例えば、特許文献１参照）。
【先行技術文献】
【特許文献】
【０００３】
【特許文献１】特開２００７−２５７１６１号公報
【発明の概要】
【発明が解決しようとする課題】
【０００４】
しかしながら、特許文献１に記載のスタンプラリーゲームシステムでは、各駅毎にスタンプ画像は決まっており、スタンプ画像の自由度がなかった。
【０００５】
本発明の課題は、スタンプラリーに使用されるスタンプ画像の自由度を向上させることである。
【課題を解決するための手段】
【０００６】
上記課題を解決するため、請求項１に記載の発明のスタンプラリー装置は、
複数の画像を記憶する記憶手段と、
スタンプ情報を取得する取得手段と、
前記記憶手段に記憶されている複数の画像の中から選択された画像をスタンプ画像として前記取得手段により取得されたスタンプ情報に対応付ける対応付け手段と、
を備える。
【発明の効果】
【０００７】
本発明によれば、スタンプラリーに使用されるスタンプ画像の自由度を向上させることができる。
【図面の簡単な説明】
【０００８】
【図１】本実施形態におけるスタンプラリーシステムの全体構成例を示す図である。
【図２】図１の通信装置の機能的構成を示すブロック図である。
【図３】図１のデジタルサイネージ装置の機能的構成を示すブロック図である。
【図４】図３のスクリーン部の概略構成を示す図である。
【図５】図１の通信装置により実行されるスタンプラリー処理を示すフローチャートである。
【図６】台紙画面の一例を示す図である。
【図７】図５のステップＳ４〜ステップＳ６の画面遷移を模式的に示す図である。
【図８】クーポンの一例を示す図である。
【発明を実施するための形態】
【０００９】
以下、添付図面を参照して本発明に係る好適な実施形態を詳細に説明する。以下の実施形態では、本発明に係るスタンプラリー装置を通信装置１に適用した場合を例にとり説明する。なお、本発明は、図示例に限定されるものではない。
【００１０】
［スタンプラリーシステム１００の構成］
図１は、本発明の実施形態におけるスタンプラリーシステム１００の全体構成を示す図である。スタンプラリーシステム１００は、スタンプラリーに参画している施設（本実施形態では、店舗とする）において来店した顧客にスタンプ情報を付与し、所定数のスタンプ情報が貯まった場合に特典（ここではクーポンとする）を付与するシステムである。スタンプラリーシステム１００は、図１に示すように、顧客が携帯する通信装置１と、スタンプラリーに参画している各店舗に設けられた複数のデジタルサイネージ装置２（２Ａ〜２Ｄ）と、を備えて構成されている。なお、通信装置１とデジタルサイネージ装置２の台数は、特に限定されない。
【００１１】
［通信装置１の構成］
図２は、通信装置１の主制御構成を示すブロック図である。通信装置１は、スマートフォンやタブレット端末等の非接触通信機能を備えた端末装置であり、図２に示すように、制御部１１、記憶部１２、操作部１３、表示部１４、ネットワーク通信部１５、非接触通信部１６、撮像部１７等を備えて構成されている。
【００１２】
制御部１１は、記憶部１２のプログラム記憶部１２１に記憶されている各種のプログラムを実行して所定の演算や各部の制御を行うＣＰＵとプログラム実行時の作業領域となるメモリとを備えている（何れも図示略）。制御部１１は、記憶部１２のプログラム記憶部１２１に記憶されているアプリケーション（アプリケーションプログラム）との協働により後述するスタンプラリー処理を実行することにより、対応付け手段として機能する。
【００１３】
記憶部１２は、不揮発性の半導体メモリ等により構成される。記憶部１２には、図２に示すように、プログラム記憶部１２１が設けられている。プログラム記憶部１２１には、制御部１１で実行されるシステムプログラム、後述するスタンプラリー処理を始めとする各種処理を実行するためのアプリケーション、これらのプログラムの実行に必要なデータ等が記憶されている。
【００１４】
また、記憶部１２には、記憶手段としての画像記憶部１２２が設けられている。画像記憶部１２２には、撮像部１７により撮像された画像や、ネットワーク通信部１５を介して外部機器からダウンロードした画像等の複数の画像が記憶されている。
【００１５】
操作部１３は、各種機能キー等を備え、ユーザによる各キーの押下入力を受け付けてその操作情報を制御部１１に出力する。また、操作部１３は、表示部１４の表面を覆うように透明電極を格子状に配置したタッチパネル等を有し、手指やタッチペン等で押下された位置を検出し、その位置情報を操作情報として制御部１１に出力する。  
【００１６】
表示部１４は、ＬＣＤ（Liquid Crystal Display）等により構成され、制御部１１からの表示制御信号に従って各種表示を行う。
【００１７】
ネットワーク通信部１５は、無線により移動体通信網の基地局を介して通信ネットワークに接続し、通信ネットワークに接続された外部機器とのデータ送受信を行う。
【００１８】
非接触通信部１６は、デジタルサイネージ装置２等のＮＦＣ（Near Field Communication）による無線通信機能を備える外部機器と非接触通信によりデータの送受信を行う。非接触通信部１６は、取得手段として機能する。
【００１９】
撮像部１７は、光学系及び撮像素子を備えるカメラと、カメラを制御する撮像制御部とを備えている。撮像素子は、例えば、ＣＣＤ（Charge Coupled Device）やＣＭＯＳ（Complementary Metal-oxide Semiconductor）等のイメージセンサであり、光学系を通過した光学像を２次元の画像信号に変換し、制御部１１に出力する。
【００２０】
［デジタルサイネージ装置２の構成］
図３は、デジタルサイネージ装置２の主制御構成を示すブロック図である。
デジタルサイネージ装置２は、例えば、来店した顧客にスタンプ情報を付与したり、各種コンテンツを出力したりする装置である。デジタルサイネージ装置２は、図３に示すように、コンテンツの映像光を照射する投影部２１と、投影部２１から照射された映像光を背面で受けて前面に投影するスクリーン部２２とを備えている。
【００２１】
まず、投影部２１について説明する。
投影部２１は、制御部２３と、プロジェクタ２４と、記憶部２５と、ネットワーク通信部２６と、を備えている。プロジェクタ２４、記憶部２５、ネットワーク通信部２６は、図３に示すように制御部２３に接続されている。
【００２２】
制御部２３は、記憶部２５のプログラム記憶部２５１に記憶されている各種のプログラムを実行して所定の演算や各部の制御を行うＣＰＵとプログラム実行時の作業領域となるメモリとを備えている（いずれも図示略）。
本実施形態において、制御部２３は、非接触通信部３４により通信エリア内に通信装置１が存在することが検出されると、非接触通信部３４により通信装置１の非接触通信部１６との通信を確立し、スタンプ情報を通信装置１に送信する。本実施形態において、スタンプ情報は、スタンプを付与した場所等を特定する情報（ここでは、スタンプ情報を付与したデジタルサイネージ装置２の識別情報）であり、予めスタンプ画像が対応付けられている。ここで、スタンプ画像は非接触通信部３４によりスタンプ情報とともに通信装置１に送信することとしてもよいし、スタンプ情報に対応するスタンプ画像が予め通信装置１で使用するスタンプラリー専用のアプリケーションに保持されていることとしてもよい。
【００２３】
プロジェクタ２４は、制御部２３から出力された画像データを映像光に変換してスクリーン部２２に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。
【００２４】
記憶部２５は、ＨＤＤ（Hard Disk Drive）や不揮発性の半導体メモリ等により構成される。記憶部２５には、図３に示すように、プログラム記憶部２５１が設けられている。プログラム記憶部２５１には、制御部２３で実行されるシステムプログラムや、各種処理を実行するための処理プログラム、これらのプログラムの実行に必要なデータ等が記憶されている。
【００２５】
また、記憶部２５には、コンテンツ記憶部２５２が設けられている。コンテンツ記憶部２５２には、コンテンツ識別情報に対応付けてコンテンツデータ（例えば、動画データ及び音声データ）が記憶されている。
また、記憶部２５には、自装置の識別情報や、スタンプ情報が記憶されている。
【００２６】
ネットワーク通信部２６は、モデム、ルータ、ネットワークカード等により構成され、通信ネットワークに接続された外部機器との通信を行う。
【００２７】
次に、スクリーン部２２について説明する。
図４は、スクリーン部２２の概略構成を示す正面図である。図４に示すようにスクリーン部２２には、画像形成部２７と、画像形成部２７を支持する台座２８とが備えられている。
【００２８】
画像形成部２７は、映像光の照射方向に対して略直交するように配置された、例えばアクリル板などの一枚の透光板２９に、フィルム状のフレネルレンズが積層された背面投影用のフィルムスクリーンが貼付されて構成されたスクリーンである。
【００２９】
台座２８には、ボタン式の操作部３２と、音声を出力するスピーカなどの音声出力部３３と、非接触通信部３４と、が設けられている。
【００３０】
操作部３２は、  各種機能ボタンを備え、操作ボタンの押下信号を検出して制御部２３に出力する。
【００３１】
非接触通信部３４は、ＮＦＣによる無線通信機能を備え、ＮＦＣ対応の通信装置１と非接触通信によりデータ送受信を行う。
【００３２】
操作部３２、音声出力部３３、非接触通信部３４は、図３に示すように制御部２３に接続されている。
【００３３】
［スタンプラリーシステム１００の動作］
次に、スタンプラリーシステム１００における通信装置１の動作について説明する。
図５に、通信装置１において実行されるスタンプラリー処理のフローチャートを示す。スタンプラリー処理は、通信装置１の制御部１１とプログラム記憶部１２１に記憶されているスタンプラリー専用のアプリケーションプログラムとの協働により実行される。
【００３４】
まず、制御部１１は、収集したスタンプ情報に対応するスタンプ画像を表示するための台紙画面１４１を表示部１４に表示する（ステップＳ１）。図６に、台紙画面１４１の一例を示す。
【００３５】
次いで、制御部１１は、非接触通信部１６がデジタルサイネージ装置２の非接触通信部３４にかざされてデジタルサイネージ装置２との非接触通信が確立するのを待機する（ステップＳ２）。
【００３６】
非接触通信が確立すると（ステップＳ２；ＹＥＳ）、制御部１１は、非接触通信部１６により非接触通信部３４からスタンプ情報を取得し（ステップＳ３）、取得したスタンプ情報に予め対応付けられたスタンプ画像を台紙画面１４１の所定の欄に表示させる（ステップＳ４）。
ここで、通信装置１のユーザは、例えば、台紙画面１４１に表示されたスタンプ画像をタッチ等することで、スタンプ画像の差し替えを指示することができる。
【００３７】
制御部１１は、操作部１３によりスタンプ画像の差し替え指示の入力が検出されたか否かを判断する（ステップＳ５）。
操作部１３によりスタンプ画像の差し替え指示の入力が検出されていないと判断した場合（ステップＳ５；ＮＯ）、制御部１１は、ステップＳ１０に移行する。
【００３８】
一方、操作部１３によりスタンプ画像の差し替え指示の入力が検出されたと判断した場合（ステップＳ５；ＹＥＳ）、制御部１１は、画像記憶部１２２に記憶されている画像群を読み出して画像選択画面１４２を表示する（ステップＳ６）。
図７に、ステップＳ４〜ステップＳ６の画面遷移を模式的に示す。画像選択画面１４２は、図７に示すように、画像記憶部１２２に記憶されている画像群を一覧表示した画面であり、画像選択手段として、画像記憶部１２２に記憶されている複数の画像の中からユーザが操作部１３によりスタンプ画像として所望する画像を選択することができるようになっている。
【００３９】
操作部１３により、画像選択画面１４２に表示された画像の中から画像が選択されたことが検出されると（ステップＳ７；ＹＥＳ）、制御部１１は、選択された画像をスタンプ情報に対応付けることによりスタンプ画像を差し替える（ステップＳ８）。そして、制御部１１は、スタンプ情報に対応付けた画像をスタンプ画像として表示した台紙画面１４１を表示部１４に表示し（ステップＳ９）、ステップＳ１０に移行する。なお、取得したスタンプ情報及び対応するスタンプ画像の情報は、記憶部１２に記憶される。
【００４０】
ステップＳ１０において、制御部１１は、取得すべき全てのスタンプ情報を取得したか否かを判断する（ステップＳ１０）。
取得すべき全てのスタンプ情報を取得していないと判断した場合（ステップＳ１０；ＮＯ）、制御部１１は、ステップＳ２に戻る。ここで、ユーザは、まだ取得していないスタンプ情報を取得するため、他の店舗のデジタルサイネージ装置２に移動して通信装置１をデジタルサイネージ装置２の非接触通信部３４にかざすことにより、ステップＳ２〜ステップＳ１０の処理が繰り返し実行される。
【００４１】
取得すべき全てのスタンプ情報を取得したと判断した場合（ステップＳ１０；ＹＥＳ）、制御部１１は、表示部１４にクーポン１４３を表示し（ステップＳ１１）、スタンプラリー処理を終了する。図８に、ステップＳ１１において表示されるクーポン１４３の一例を示す。
【００４２】
上記スタンプラリー処理では、図７に示すように、デジタルサイネージ装置２から取得したスタンプ情報に予め対応付けられたスタンプ画像をユーザが通信装置１に保存している他の画像に差し替えることができる。従って、ユーザは自分の好きな画像をスタンプ画像として用いることが可能となり、スタンプラリーに使用されるスタンプ画像の自由度を向上させることが可能となる。  
【００４３】
以上説明したように、本実施形態における通信装置１によれば、複数の画像を記憶する画像記憶部１２２を備え、非接触通信部１６によりデジタルサイネージ装置２からスタンプ情報を取得すると、制御部１１は、画像記憶部１２２に記憶されている複数の画像の中から選択された画像をスタンプ画像としてスタンプ情報に対応付け、表示部１４の台紙画面１４１に表示する。
従って、スタンプラリーに使用されるスタンプ画像を予め決められた画像以外の画像とすることができ、スタンプ画像の自由度を向上させることができる。
【００４４】
例えば、制御部１１は、画像記憶部１２２に記憶されている複数の画像の中からユーザが所望の画像を選択するための画像選択画面１４２を表示し、画像選択画面１４２において操作部１３により選択された画像を受信したスタンプ情報に対応付ける。従って、ユーザが所望する画像をスタンプ画像とすることが可能となる。
【００４５】
なお、上記実施形態における記述内容は、本発明に係るスタンプラリーシステム１００及び通信装置１の好適な一例であり、これに限定されるものではない。
【００４６】
例えば、上記実施形態においては、通信装置１がＮＦＣによる非接触通信によりデジタルサイネージ装置２からスタンプ情報を取得する場合を例にとり説明したが、他の通信規格としてもよく、特に限定されない。
【００４７】
また、上記実施形態においては、画像記憶部１２２に記憶されている画像の中からユーザ操作により選択された画像をスタンプ情報に対応付ける場合を例にとり説明したが、これに限定されない。例えば、制御部１１は、画像記憶部１２２に記憶されている画像の中からランダムに画像を選択し、選択された画像をスタンプ情報に対応付けることとしてもよい。このようにしても、スタンプ画像の自由度を向上させることができる。
【００４８】
また、上記実施形態においては、スタンプ情報に予めスタンプ画像が対応付けられており、これを差し替える場合を例にとり説明したが、スタンプ情報には予めスタンプ画像が対応付けられておらず、制御部１１により通信装置１に記憶されている画像の中からユーザの選択により、又はランダムに選択した画像をスタンプ画像としてスタンプ情報に対応付けることとしてもよい。
また、スタンプ情報に対応付ける画像は一枚であっても複数枚であってもよい。
【００４９】
その他、スタンプラリーシステム及びスタンプラリーシステムを構成する各装置の細部構成及び細部動作に関しても、発明の趣旨を逸脱することのない範囲で適宜変更可能である。
【００５０】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
複数の画像を記憶する記憶手段と、
スタンプ情報を取得する取得手段と、
前記記憶手段に記憶されている複数の画像の中から選択された画像をスタンプ画像として前記取得手段により取得されたスタンプ情報に対応付ける対応付け手段と、
を備えるスタンプラリー装置。
＜請求項２＞
前記スタンプ情報に対応付けられた画像をスタンプ画像として表示する表示手段を備える請求項１に記載のスタンプラリー装置。
＜請求項３＞
前記記憶手段に記憶されている複数の画像の中からユーザが所望の画像を選択するための画像選択手段を備え、
前記対応付け手段は、前記記憶手段に記憶されている複数の画像の中から前記画像選択手段により選択された画像を前記取得手段により取得されたスタンプ情報に対応付ける請求項１又は２に記載のスタンプラリー装置。
＜請求項４＞
前記対応付け手段は、前記記憶手段に記憶されている複数の画像の中からランダムに選択された画像を前記取得手段により取得されたスタンプ情報に対応付ける請求項１又は２に記載のスタンプラリー装置。
＜請求項５＞
前記取得手段は、外部装置から非接触通信によりスタンプ情報を取得する請求項１〜４の何れか一項に記載のスタンプラリー装置。
＜請求項６＞
前記対応付け手段は、前記取得手段がスタンプ情報を取得した後に前記記憶手段に記憶されている複数の画像の中から選択された画像をスタンプ画像として前記取得手段により取得されたスタンプ情報に対応付ける請求項１〜５の何れか一項に記載のスタンプラリー装置。
＜請求項７＞
スタンプ情報を取得する工程と、
記憶手段に記憶されている複数の画像の中から選択された画像をスタンプ画像として前記スタンプ情報に対応付ける工程と、
を含むスタンプ画像対応付け方法。
＜請求項８＞
コンピュータを、
複数の画像を記憶する記憶手段、
スタンプ情報を取得する取得手段、
前記記憶手段に記憶されている複数の画像の中から選択された画像をスタンプ画像として前記取得手段により取得されたスタンプ情報に対応付ける対応付け手段、
として機能させるためのプログラム。
【符号の説明】
【００５１】
１００  スタンプラリーシステム
１  通信装置
１１  制御部
１２  記憶部
１２１  プログラム記憶部
１２２  画像記憶部
１３  操作部
１４  表示部
１５  ネットワーク通信部
１６  非接触通信部
１７  撮像部
２  デジタルサイネージ装置
２１  投影部
２２  スクリーン部
２３  制御部
２４  プロジェクタ
２５  記憶部
２５１  プログラム記憶部
２５２  コンテンツ記憶部
２６  ネットワーク通信部
２７  画像形成部
２８  台座
２９  透光板
３２  操作部
３３  音声出力部
３４  非接触通信部
【図１】
2017134626.tif 000003
【図２】
2017134626.tif 000004
【図３】
2017134626.tif 000005
【図４】
2017134626.tif 000006
【図５】
2017134626.tif 000007
【図６】
2017134626.tif 000008
【図７】
2017134626.tif 000009
【図８】
2017134626.tif 000010